【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
各々が複数の光電変換部を有する複数の単位画素が行列状に配置された画素領域と、
前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、
異なる色に対応する複数の前記第１の信号に基づいて輝度信号を生成する生成手段と、
を有することを特徴とする撮像素子。
【請求項２】
前記第１の信号を焦点検出に用い、前記第２の信号を焦点検出および画像の生成に用いることを特徴とする請求項１に記載の撮像素子。
【請求項３】
前記焦点検出は、位相差方式の焦点検出であることを特徴とする請求項２に記載の撮像素子。
【請求項４】
前記生成手段は、前記第１の信号と前記第２の信号に基づいて、前記第１の読み出し動作で読み出さなかった光電変換部の信号に相当する輝度信号を生成することを特徴とする請求項１乃至３のいずれか１項に記載の撮像素子。
【請求項５】
前記複数の単位画素は、所定の色の配列を有するカラーフィルタの各色に対応して設けられることを特徴とする請求項１乃至４のいずれか１項に記載の撮像素子。
【請求項６】
前記所定の色の配列とは、第１の緑色、第２の緑色、青色、赤色からなるベイヤ配列であることを特徴とする請求項５に記載の撮像素子。
【請求項７】
前記生成手段は、前記所定の色の配列の全ての色に対応する前記第１の信号に基いて輝度信号を生成することを特徴とする請求項５または６に記載の撮像素子。
【請求項８】
各々が複数の光電変換部を有する複数の単位画素が行列状に配置された画素領域と、
前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、
前記第１の信号と前記第２の信号に基づいて、前記第１の読み出し動作で読み出さなかった光電変換部の信号に相当する第３の信号を生成する生成手段と、
前記第１の信号、前記第２の信号、および前記第３の信号をそれぞれ出力する出力手段と、
を有することを特徴とする撮像素子。
【請求項９】
各々が複数の光電変換部を有する複数の単位画素が行列状に配置された画素領域と、前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、異なる色に対応する複数の前記第１の信号に基づいて第１の輝度信号を生成する生成手段と、を備えた撮像素子と、
異なる色に対応する複数の前記第２の信号に基づいて第２の輝度信号を生成するとともに、前記第１の輝度信号と前記第２の輝度信号とに基づいて前記第１の読み出し動作で読み出さなかった光電変換部の信号に相当する第３の輝度信号を生成する信号処理手段と、
前記第１の輝度信号および前記第３の輝度信号に基づいて焦点検出を行う焦点検出手段と、
を有することを特徴とする撮像装置。
【請求項１０】
前記第２の信号に基づいて画像データを生成する信号処理手段をさらに有することを特徴とする請求項９に記載の撮像装置。
【請求項１１】
各々が複数の光電変換部を有する複数の単位画素が行列状に配置された画素領域と、前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、前記第１の信号と前記第２の信号に基づいて、前記第１の読み出し動作で読み出さなかった光電変換部の信号に相当する第３の信号を生成する生成手段と、前記第１の信号、前記第２の信号、および前記第３の信号をそれぞれ出力する出力手段と、を備えた撮像素子と、
前記撮像素子から出力される前記第１の信号および前記第３の信号に基づいて焦点検出を行う焦点検出手段と、
前記撮像素子から出力される前記第２の信号に基づいて画像データを生成する信号処理手段と、
を有することを特徴とする撮像装置。
【手続補正２】
【補正対象書類名】明細書
【補正対象項目名】発明の名称
【補正方法】変更
【補正の内容】
【発明の名称】撮像素子及び撮像装置
【手続補正３】
【補正対象書類名】明細書
【補正対象項目名】０００８
【補正方法】変更
【補正の内容】
【０００８】
本発明に係わる撮像素子は、各々が複数の光電変換部を有する複数の単位画素が行列状に配置された画素領域と、前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、異なる色に対応する複数の前記第１の信号に基づいて輝度信号を生成する生成手段と、を有することを特徴とする。
また、本発明に係わる撮像素子は、各々が複数の光電変換部を有する複数の単位画素が行列状に配置された画素領域と、前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、前記第１の信号と前記第２の信号に基づいて、前記第１の読み出し動作で読み出さなかった光電変換部の信号に相当する第３の信号を生成する生成手段と、前記第１の信号、前記第２の信号、および前記第３の信号をそれぞれ出力する出力手段と、を有することを特徴とする。
また、本発明に係わる撮像装置は、各々が複数の光電変換部を有する複数の単位画素が行列状に配置された画素領域と、前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、異なる色に対応する複数の前記第１の信号に基づいて第１の輝度信号を生成する生成手段と、を備えた撮像素子と、異なる色に対応する複数の前記第２の信号に基づいて第２の輝度信号を生成するとともに、前記第１の輝度信号と前記第２の輝度信号とに基づいて前記第１の読み出し動作で読み出さなかった光電変換部の信号に相当する第３の輝度信号を生成する信号処理手段と、前記第１の輝度信号および前記第３の輝度信号に基づいて焦点検出を行う焦点検出手段と、を有することを特徴とする。
また、本発明に係わる撮像装置は、各々が複数の光電変換部を有する複数の単位画素が行列状に配置された画素領域と、前記単位画素の前記複数の光電変換部のうちの少なくとも１つの光電変換部から第１の信号を読み出す第１の読み出し動作と、前記単位画素の前記複数の光電変換部のうちの全ての光電変換部から第２の信号を読み出す第２の読み出し動作とを行う読み出し手段と、前記第１の信号と前記第２の信号に基づいて、前記第１の読み出し動作で読み出さなかった光電変換部の信号に相当する第３の信号を生成する生成手段と、前記第１の信号、前記第２の信号、および前記第３の信号をそれぞれ出力する出力手段と、を備えた撮像素子と、前記撮像素子から出力される前記第１の信号および前記第３の信号に基づいて焦点検出を行う焦点検出手段と、前記撮像素子から出力される前記第２の信号に基づいて画像データを生成する信号処理手段と、を有することを特徴とする。